(57)【特許請求の範囲】
【請求項１】
車両用の圧力センサ（１）であって、
少なくとも１つのセンサユニット（２０）が配置されているハウジング（３）を備え、前記少なくとも１つのセンサユニット（２０）は、測定接続部（３．３）に作用する圧力と大気圧との間の圧力差を求め、前記少なくとも１つのセンサユニット（２０）は、少なくとも２つの基準圧力孔部（１２，１４）における大気圧を検出する、圧力センサ（１）において、
センサ排水部（１０）が、少なくとも２つの基準圧力孔部（１２，１４）を相互に接続する接続チャネル（１６）を含んでおり、
取り付けられた状態において前記ハウジング（３）内の第１の基準圧力孔部（１２）は、第２の基準圧力孔部（１４）よりも測地学的に高い位置に配置されており、
前記接続チャネル（１６）は、表面張力に基づいてより高い位置にある前記第１の基準圧力孔部（１２）から浸透した水分（７）を吸い込み、下方の第２の基準圧力孔部（１４）に案内することを特徴とする、圧力センサ（１）。
【請求項２】
前記ハウジング（３）は、前記センサユニット（２０）が配置されている収容空間（３．１）を含む、請求項１記載の圧力センサ（１）。
【請求項３】
前記ハウジング（３）にカバー（５）が接続されており、該カバー（５）は、前記収容空間（３．１）と、前記接続チャネル（１６）と、前記少なくとも２つの基準圧力孔部（１２，１４）とを覆っている、請求項２記載の圧力センサ（１）。
【請求項４】
前記ハウジング（３）は、プラスチック射出成形部品として構成されている、請求項１から３までのいずれか１項記載の圧力センサ（１）。
【請求項５】
少なくとも１つのブレーキブースターと、少なくとも１つのブレーキ回路と、少なくとも１つの圧力センサ（１）と、を備えた車両用の制動システムにおいて、
前記少なくとも１つの圧力センサ（１）が、請求項１から４までのいずれか１項記載の圧力センサ（１）である、制動システム。
【請求項６】
第１の圧力センサ（１）が、前記ブレーキブースター内で作用する制動圧と大気圧との間の第１の圧力差を求める、請求項５記載の制動システム。
【請求項７】
第２の圧力センサ（１）が、前記少なくとも１つのブレーキ回路内で作用する制動圧と大気圧との間の第２の圧力差を求める、請求項５または６記載の制動システム。
【発明の詳細な説明】
【技術分野】
【０００１】
本発明は、独立請求項１の上位概念による、車両用の圧力センサに関する。本発明の対象は、少なくとも１つのそのような圧力センサを備えた車両用の制動システムでもある。
【０００２】
従来技術からは、少なくとも１つのセンサユニットが配置されているハウジングを備え、少なくとも１つのセンサユニットは、測定接続部に作用する圧力と大気圧との間の圧力差を求める車両用の圧力センサが公知である。少なくとも１つのセンサユニットは、少なくとも２つの基準圧力孔部における大気圧を検出する。そのような圧力センサは、例えば、ブレーキブースター内で作用する制動圧と大気圧との間の圧力差を求めるために、車両のブレーキブースター内で使用することができる。そのような圧力センサは、走行動作中に雨水にさらされている。この圧力センサのハウジングは、雨水の浸入にもかかわらず圧力センサが正しい大気圧を記録できるように設計されている。それゆえ、圧力センサは通常は、大気圧が印加される少なくとも２つの基準圧力孔部を含んでおり、それによって、圧力センサは、２箇所において、ブレーキブースター内で作用する制動圧と大気圧との間の差圧を直接測定することができる。ここでは、２つの基準圧力孔部は、第１の基準圧力孔部が第２の基準圧力孔部よりも測地学的に高い位置に配置されるように配置されている。重力に基づき水分は、より高い位置に配置された第１の基準圧力孔部からより低い位置に配置された第２の基準圧力孔部に流出し、さらにハウジングから流出する。ただし、浸透した水分は表面張力に基づいて、より低い位置に配置された第２の基準圧力孔部内においても、より高い位置に配置された第１の基準圧力孔部内においても付着したまま留まることが起こり得る。そのため、これらの基準圧力孔部のいずれにおいても大気圧を正しく検出することができなくなる。
【０００３】
発明の開示
独立請求項１の特徴を有する車両用の圧力センサは、少なくとも２つの基準圧力孔部のうちの少なくとも１つから浸透した水分を除去することができるため、圧力センサが大気圧を正しく検出することができるという利点を有する。
【０００４】
本発明の実施形態は、少なくとも１つのセンサユニットが配置されているハウジングを備え、少なくとも１つのセンサユニットは、測定接続部に作用する圧力と大気圧との間の圧力差を求める車両用の圧力センサを提供する。少なくとも１つのセンサユニットは、少なくとも２つの基準圧力孔部における大気圧を検出する。ここでは、センサ排水部が、少なくとも２つの基準圧力孔部を相互に接続する接続チャネルを含んでいる。
【０００５】
さらに、少なくとも１つのブレーキブースターと、少なくとも１つのブレーキ回路と、少なくとも１つのそのような圧力センサとを含む車両用の制動システムが提案される。
【０００６】
従属請求項に記載された手段および発展形態により、独立請求項１に記載された圧力センサならびに独立請求項７に記載された車両用の制動システムの好適な改善形態が可能である。
【０００７】
特に好適には、取り付けられた状態においてハウジング内の第１の基準圧力孔部は、第２の基準圧力孔部よりも測地学的に高い位置に配置されてもよい。さらに、接続チャネルは、表面張力に基づいてより高い位置にある第１の基準圧力孔部から浸透した水分を吸い込み、下方の第２の基準圧力孔部に案内することができる。重力に基づき水分は、より高い位置に配置された第１の基準圧力孔部からより低い位置に配置された第２の基準圧力孔部に流出し、さらにハウジングから流出する。さらに、接続チャネルは、より高い位置にある第１の基準圧力孔部から水分を吸い込み、より低い位置にある第２の基準圧力孔部に案内することができる。これにより、より高い位置にある第１の基準圧力孔部における水位と、より高い位置にある接続チャネルの領域における水位とが低下し、それによって、好適には、少なくともより高い位置にある第１の基準圧力孔部において水分がもはやなくなり、圧力センサは第１の基準圧力孔部を介して大気圧を基準圧力として検出することができる。
【０００８】
圧力センサの有利な実施形態では、ハウジングは、センサユニットが配置されてもよい収容空間を含むことができる。さらに、カバーがハウジングに接続されてもよく、収容空間と、接続チャネルと、少なくとも２つの基準圧力孔部とを覆ってもよい。このカバーは、例えば走行動作中に水分または湿気がセンサユニットの収納空間内に入るのを防ぐことができる。ただし基準圧力孔部は大気圧にさらされているため、このカバーは、基準圧力孔部が配置されているハウジング領域内に水分や湿気が入るのを防ぐことはできない。
【０００９】
圧力センサのさらなる好適な実施形態では、ハウジングは、プラスチック射出成形部品として構成することができる。このことは、ハウジングの安価な大量生産を有利に可能にする。
【００１０】
制動システムの有利な実施形態では、第１の圧力センサは、ブレーキブースター内で作用する制動圧と大気圧との間の第１の圧力差を求めることができる。付加的または代替的に、第２の圧力センサは、少なくとも１つのブレーキ回路内で作用する制動圧と大気圧との間の第２の圧力差を求めることができる。
【００１１】
本発明の実施例は図面に示されており、以下の明細書でより詳細に説明される。これらの図面において、同一のもしくは類似の機能を発揮するコンポーネントもしくは要素には同じ参照符号が付されている。
【図面の簡単な説明】
【００１２】
【図１】本発明による車両用の圧力センサの一実施例の概略的斜視断面図
【図２】図１の圧力センサ用のハウジングの上方からの概略的斜視図
【図３】水分侵入試験の様々な段階中の図２のハウジングの断面図
【図４】水分侵入試験の様々な段階中の図２のハウジングの断面図
【図５】水分侵入試験の様々な段階中の図２のハウジングの断面図
【００１３】
本発明の実施形態
図１〜図５から明らかなように、本発明による車両用の圧力センサ１の図示の実施例は、少なくとも１つのセンサユニット２０が配置されたハウジング３を備え、少なくとも１つのセンサユニット２０は、測定接続部３．３において作用する圧力と大気圧との間の圧力差を求める。少なくとも１つのセンサユニット２０は、少なくとも２つの基準圧力孔部１２，１４における大気圧を検出する。ここでは、センサ排水部１０は、少なくとも２つの基準圧力孔部１２，１４を相互に接続する接続チャネル１６を含む。
【００１４】
図２からさらに明らかなように、圧力センサ１は、図示の実施例では２つの基準圧力孔部１２，１４を含んでいる。この場合、ハウジング３内の第１の基準圧力孔部１２は、取り付けられた状態において第２の基準圧力孔部１４よりも測地学的に高い位置に配置されている。
【００１５】
図１および図２から明らかなように、ハウジング３は、図示の実施例ではセンサユニット２０が配置されている収容空間３．１を含む。この収容空間３．１は、シール２２を介して測定接続部３．３に向かって密閉されている。さらに、カバー５がハウジング３に接続され、収容空間３．１と、接続チャネル１６と、少なくとも２つの基準圧力孔部１２，１４とを覆っている。図示の実施例では、ハウジング３およびカバー５はそれぞれ、プラスチック射出成形部品として構成されており、それらには導体路が挿入部品として挿入されている。図示の実施例では、センサユニット２０は、検出された測定値を処理し、インターフェースを介して所望の圧力差もしくは所望のセンサデータを求めて出力する。センサデータを出力するために、ハウジング３は、対応するプラグが挿入可能である機械的なインターフェースとしてのコンタクト収容部３．２と、センサユニット２０に接続されかつプラグ内の対応する対応コンタクト要素との電気的な接続を形成することができるコンタクト要素２６とを含んでいる。図示の実施例では、コンタクト収容部３．２はハウジング３に成形されている。
【００１６】
以下では、図３〜図５を参照して、圧力センサ１用の水分侵入試験の経過を説明する。
【００１７】
図３からさらに明らかなように、圧力センサ１のハウジング３は、水分侵入検査において少なくとも基準圧力孔部１２，１４の区分が水分７で満たされる。次いで、ハウジング３が図４および図５に示されている取り付け位置まで回され、それによって、第１の基準圧力孔部１２は、第２の基準圧力孔部１４よりも高い位置に配置される。図４からさらに明らかなように、水分７は、重力に基づき、より高い位置に配置された第１の基準圧力孔部１２からより低い位置に配置された第２の基準圧力孔部１４に流出し、さらにハウジング３から流出する。図５からさらに明らかなように、接続チャネル１６は、表面張力に基づいてより高い位置にある第１の基準圧力孔部１２から浸透した水分７を付加的に吸い込み、下方の第２の基準圧力孔部１４に案内する。これにより、より高い位置にある第１の基準圧力孔部１２における水位と、より高い位置にある接続チャネル１６の領域における水位とが低下し、それによって、少なくともより高い位置にある第１の基準圧力孔部１２において水分がもはやなくなり、圧力センサ３のセンサユニット２０は、第１の基準圧力孔部１２を介して大気圧を基準圧力として検出することができる。
【００１８】
本発明による圧力センサ１の実施形態は、好適には、少なくとも１つのブレーキブースターと、少なくとも１つのブレーキ回路とを含む車両用の制動システムに使用することができる。そのため、例えば第１の圧力センサ１は、ブレーキブースター内で作用する制動圧と大気圧との間の第１の圧力差を求めることができる。第２の圧力センサ１は、例えば少なくとも１つのブレーキ回路内で作用する制動圧と大気圧との間の第２の圧力差を求めることができる。
【００１９】
本発明の実施形態は、取り付けられた状態において、好適には基準圧力孔部のうちの少なくとも１つから浸透した水分が除去され、それによって、圧力センサが大気圧を正しく検出することができる車両用の圧力センサを提供する。
【図１】
0006869429.tif 000002
【図２】
0006869429.tif 000003
【図３】
0006869429.tif 000004
【図４】
0006869429.tif 000005
【図５】
0006869429.tif 000006